(57)【要約】【課題】ファンが取り違えられてバーナケースに誤った状態で組み付けられる虞を、適切に防止または抑制することが可能な燃焼装置を提供する。【解決手段】燃焼装置Ｃの第１および第２のバーナケース１Ａ，１Ｂ内にエア供給を行なうための第１および第２のファンＦＡ，ＦＢは、第１および第２の突出片５１ａ，５１ｂが形成された一対の突出片形成部材５ａ，５ｂを備えており、第１および第２の突出片５１ａ，５１ｂは、形状、サイズ、およびファンケース４における突出位置の少なくとも１つが互いに相違し、第１のファンＦＡを第２のバーナケース１Ｂのファン取付け部分に接近させた場合には、第１の突出片５１ａが第２のバーナケース１Ｂと干渉し、第２のバーナケース１Ｂに対する第１のファンＦＡの取付けが阻止される。【選択図】  図１
2019007680.tif 000002
【特許請求の範囲】
【請求項１】
バーナを収容する第１および第２のバーナケースと、
これら第１および第２のバーナケースにそれぞれ取付けられ、かつ前記第１および第２のバーナケース内へのエア供給を行なうための第１および第２のファンと、
を備えている、燃焼装置であって、
前記第１および第２のファンは、これらのファンケースの外面部においてこのファンケースの外方に向けて部分的に突出する第１および第２の突出片が形成された一対の突出片形成部材を備えており、
前記第１および第２の突出片は、形状、サイズ、および前記ファンケースにおける突出位置の少なくとも１つが互いに相違しており、
前記第１のファンを前記第２のバーナケースのファン取付け部分に接近させた場合には、前記第１の突出片が前記第２のバーナケースと干渉し、前記第２のバーナケースに対する前記第１のファンの取付けが阻止される構成とされていることを特徴とする、燃焼装置。
【請求項２】
請求項１に記載の燃焼装置であって、
前記第１および第２の突出片には、前記第１および第２のファンを識別するための情報が表示されている、燃焼装置。
【請求項３】
請求項１または２に記載の燃焼装置であって、
前記第１のバーナケースは、前記第２のバーナケースよりも横幅が小さいサイズであり、
前記第１の突出片は、前記第１のファンが前記第１のバーナケースに取付けられた状態においては、前記第１のバーナケースの横に位置して前記第１のバーナケースの底壁部よりも高い位置まで延びた状態となるように設けられており、
前記第１のファンを前記第２のバーナケースの取付け部分に接近させた場合には、前記第１の突出片が前記第２のバーナケースの底壁部と干渉するように構成されている、燃焼装置。
【請求項４】
請求項１ないし３のいずれかに記載の燃焼装置であって、
前記第１および第２のファンのそれぞれのファンケースは、羽根車を内部に収容し、かつ吸気口および吐出口を形成しているファンケース本体部と、このファンケース本体部に取付けられ、かつ前記吸気口に重なった配置とされるベルマウスを形成しているベルマウス形成部材と、を備えており、
このベルマウス形成部材が、前記各突出片形成部材とされている、燃焼装置。
【請求項５】
請求項１ないし４のいずれかに記載の燃焼装置であって、
前記第１および第２のファンのそれぞれのファンケースの前壁部、周壁部、および後壁部のうち、少なくとも１つの壁部は、形状、サイズ、および材質が互いに同一とされている、燃焼装置。
【発明の詳細な説明】
【技術分野】
【０００１】
本発明は、給湯装置などの構成要素として用いるのに好適な燃焼装置に関する。
【背景技術】
【０００２】
給湯装置としては、一般給湯機能と、風呂用または温水暖房用の給湯機能とを有するものがある。このような給湯装置の構成要素として用いられる燃焼装置として、バーナを収容したバーナケースと、このバーナケースに燃焼用エアを供給するためのファンとを組み合わせたものを２組具備させたものがある（たとえば、特許文献１を参照）。これらバーナケースとファンとの２組の組み合わせのうち、一方は一般給湯用の湯水加熱に用いられ、他方は風呂用または温水暖房用の湯水加熱に用いられる。
【０００３】
前記したような燃焼装置は、いわゆる２缶２ファン方式であるが、次に述べるように、解決すべき課題がある。
【０００４】
すなわち、燃焼装置については、その製造コストを低減することが要望される。この要望に応えるための手段として、２つのファンの構成要素の共通化や、バーナケースへのファンの取付け構造の共通化などを促進することが有効である。ただし、そのような共通化を促進すると、２つのファンの全体形状やサイズが同一または近似したものとなるため、ファンの取り違いが発生し易くなる。また、ファンを取り違えた場合、一般的には、ファンをバーナケースに取付けることはできないものの、取付け構造の共通化が促進された場合には、前記とは異なり、ファンがバーナケースに誤って取付けられるといった作業ミスも生じ得ることとなる。このような事態は、生産性の低下を招き、製造コストの上昇要因にもなるため、解消することが望まれる。
【先行技術文献】
【特許文献】
【０００５】
【特許文献１】特開平１１−２１１２２８号公報
【発明の概要】
【発明が解決しようとする課題】
【０００６】
本発明は、前記したような事情のもとで考え出されたものであり、ファンが取り違えられてバーナケースに誤った状態で組み付けられる虞を、構成が簡易な手段によって適切に防止または抑制することが可能な燃焼装置を提供することを、その課題としている。
【課題を解決するための手段】
【０００７】
上記の課題を解決するため、本発明では、次の技術的手段を講じている。
【０００８】
本発明により提供される燃焼装置は、バーナを収容する第１および第２のバーナケースと、これら第１および第２のバーナケースにそれぞれ取付けられ、かつ前記第１および第２のバーナケース内へのエア供給を行なうための第１および第２のファンと、を備えている、燃焼装置であって、前記第１および第２のファンは、これらのファンケースの外面部においてこのファンケースの外方に向けて部分的に突出する第１および第２の突出片が形成された一対の突出片形成部材を備えており、前記第１および第２の突出片は、形状、サイズ、および前記ファンケースにおける突出位置の少なくとも１つが互いに相違しており、前記第１のファンを前記第２のバーナケースのファン取付け部分に接近させた場合には、前記第１の突出片が前記第２のバーナケースと干渉し、前記第２のバーナケースに対する前記第１のファンの取付けが阻止される構成とされていることを特徴としている。
【０００９】
このような構成によれば、次のような効果が得られる。
すなわち、第１および第２のファンのファンケースの外面部においてそれぞれ部分的に突出する第１および第２の突出片は、認識し易い。また、これら第１および第２の突出片は、形状、サイズ、およびファンケースにおける突出位置の少なくともいずれか１つが相違しているため、第１および第２の突出片に基づき、第１および第２のファンの種別を容易かつ明確に区別することが可能であり、燃焼装置の組み立て作業時において、それらを取り違えることを抑制することができる。さらに、第１のファンを第２のバーナケースに誤って取付けようとすると、第１の突出片が第２のバーナケースに干渉し、その取付けは阻止される。したがって、第１および第２のファンのそれぞれの構成要素の共通化を図り、これらの外観が近似している場合や、第１および第２のバーナケースに対する第１および第２のファンのそれぞれの取付け構造の共通化を促進した場合であっても、第１および第２のファンを、第１および第２のバーナケースに対して誤った対応関係に組み付けることが好適に回避される。その結果、燃焼装置の生産性を高め、製造コストを低減することが可能である。
【００１０】
本発明において、好ましくは、前記第１および第２の突出片には、前記第１および第２のファンを識別するための情報が表示されている。
【００１１】
このような構成によれば、第１および第２のファンの種別などをより明確に認識することが可能となり、これらを取り違えるといったことをより徹底して防止することが可能となる。
【００１２】
本発明において、好ましくは、前記第１のバーナケースは、前記第２のバーナケースよりも横幅が小さいサイズであり、前記第１の突出片は、前記第１のファンが前記第１のバーナケースに取付けられた状態においては、前記第１のバーナケースの横に位置して前記第１のバーナケースの底壁部よりも高い位置まで延びた状態となるように設けられており、前記第１のファンを前記第２のバーナケースの取付け部分に接近させた場合には、前記第１の突出片が前記第２のバーナケースの底壁部と干渉するように構成されている。
【００１３】
このような構成によれば、第１および第２のバーナケースの横幅のサイズの相違を利用して、第１の突出片が第１のバーナケースには干渉しない一方、第２のバーナケースには干渉するようにされている。このため、第１および第２のバーナケースに、第１の突出片に対応させるための特殊な加工を施す必要はなく、構造の簡素化を図ることができる。
【００１４】
本発明において、好ましくは、前記第１および第２のファンのそれぞれのファンケースは、羽根車を内部に収容し、かつ吸気口および吐出口を形成しているファンケース本体部と、このファンケース本体部に取付けられ、かつ前記吸気口に重なった配置とされるベルマウスを形成しているベルマウス形成部材と、を備えており、このベルマウス形成部材が、前記各突出片形成部材とされている。
【００１５】
このような構成によれば、ベルマウス形成部材を利用して第１および第２の突出片が設けられることとなり、突出片形成部材として、それ専用の部材を用いる必要はなくなる。したがって、その構成は合理的であり、部品点数の増加を抑制することができる。
【００１６】
本発明において、好ましくは、前記第１および第２のファンのそれぞれのファンケースの前壁部、周壁部、および後壁部のうち、少なくとも１つの壁部は、形状、サイズ、および材質が互いに同一とされている。
【００１７】
このような構成によれば、第１および第２のファンの構成部品の共通化を促進し、これ
らの製造コストを低減するのに好ましいものとなる。第１および第２のファンの構成部品の共通化を促進すると、これらの外観が近似してくるため、これらを取り違う虞が大きくなるが、本発明によれば、既述したように、第１および第２の突出片の存在により、そのような虞を適切に解消することができる。
【００１８】
本発明のその他の特徴および利点は、添付図面を参照して以下に行なう発明の実施の形態の説明から、より明らかになるであろう。
【図面の簡単な説明】
【００１９】
【図１】本発明に係る燃焼装置の一例を示す要部斜視図である。
【図２】図１の正面図である。
【図３】図２の分解正面図である。
【図４】図１の背面図である。
【図５】図４の分解背面図である。
【図６】図１に示す燃焼装置で用いられているファンの断面図である。
【発明を実施するための形態】
【００２０】
以下、本発明の好ましい実施の形態について、図面を参照して具体的に説明する。
【００２１】
図１に示す燃焼装置Ｃは、横並び状に配された上面開口状の第１および第２のバーナケース１Ａ，１Ｂ、およびこれらの底壁部に組み付けられた第１および第２のファンＦＡ，ＦＢを備えている。第１および第２のバーナケース１Ａ，１Ｂの内部には、燃料ガスを燃焼させるための複数のバーナ３（ガス燃焼管）が収容されている。バーナ３としては、たとえば、特開２０１３−２４２０８０号公報などに記載された既知のものが用いられており、その説明は省略する。第１および第２のファンＦＡ，ＦＢは、複数のバーナ３に燃焼用エアを供給するためのものである。
【００２２】
この燃焼装置Ｃは、たとえば給湯装置の構成要素として用いられる。図示説明は省略するが、第１のバーナケース１Ａの上には、風呂給湯または暖房給湯用の湯水加熱を行なうための熱交換器が載設され、これを加熱することが可能である。第２のバーナケース１Ｂの上には、一般給湯用の湯水加熱を行なうための熱交換器が載設され、これを加熱することが可能である。風呂給湯または暖房給湯用の湯水加熱は、一般給湯用の湯水加熱と比較して加熱量は少なくて済む。このため、第１のバーナケース１Ａは、第２のバーナケース１Ｂよりも、内部に収容するバーナ３の数は少なく、横幅方向のサイズは小さくされている。
【００２３】
第１および第２のファンＦＡ，ＦＢは、遠心型である。第１のファンＦＡは、図６に示すように、羽根車２、この羽根車２を収容するファンケース４、および羽根車２を支持して駆動回転させるモータＭを備えている。ファンケース４は、ファンケース本体部４０、モータ蓋板４１、およびベルマウス形成部材５ａを備えている。ファンケース本体部４０は、羽根車２の周囲を囲む周壁部４０ａと、この周壁部４０ａおよび羽根車２を前後方向において挟むようにして相互に対向する前壁部４０ｂおよび後壁部４０ｃとを備えており、後壁部４０ｃには、吸気口４２が形成され、かつ上部には、吐出口４３が形成されている。モータ蓋板４１は、前壁部４０ｂに設けられたモータ取付け用開口部４４を塞ぐための部材であり、前壁部４０ｂにビス８０を用いて取付けられている。ベルマウス形成部材５ａは、中央部にベルマウス５０を形成した板状部材であり、ベルマウス５０が吸気口４２に重なるようにして後壁部４０ｃにビス８１を用いて取付けられている。
【００２４】
第２のファンＦＢは、第１のファンＦＡよりも最大送風量が大きい仕様とされているが、その基本的な構成は、前記した第１のファンＦＡと同様である（各図において、第２の
ファンＦＢのうち、第１のファンＦＡと同一または類似の部分には、同一の符号を付している）。第２のファンＦＢの詳細な断面構造の図示説明は省略するが、第２のファンＦＢは、図６に示した第１のファンＦＡと比較すると、羽根車２の共通化が図られている他、ファンケース４の後壁部４０ｃおよび周壁部４０ａも共通化が図られており、これらの形状、サイズ、および材質は、第１のファンＦＡと第２のファンＦＢとで同一である。したがって、第１および第２のファンＦＡ，ＦＢは、その外観が近似したものとなっている。なお、図２および図３に示すように、第１および第２のファンＦＡ，ＦＢの相互間において、モータ蓋板４１を取り違えて前壁部４０ｂに取付けられることを防止するための手段として、前壁部４０ｂにおけるビス止め位置（ビス８０ａ，８０ｂの位置）を互いに相違させている。モータ蓋板４１の前記以外のビス止め箇所は、互いに同一の配置とされている。
【００２５】
第２のファンＦＢにおいては、図６に示したベルマウス形成部材５ａに代えて、これとは別のベルマウス形成部材５ｂが後壁部４０ｃに取付けられた構成とされる。２つのベルマウス形成部材５ａ，５ｂのベルマウス５０の開口径Ｄａ，Ｄｂは、互いに相違しており、これらはファンケース４内への吸気量が第１および第２のファンＦＡ，ＦＢで求められるエア送風能力に最適なものとなるように設定されている。
【００２６】
ベルマウス形成部材５ａ，５ｂには、第１および第２の突出片５１ａ，５１ｂが形成されている。本実施形態においては、ベルマウス形成部材５ａが、本発明でいう「突出片形成部材」に相当している。第１および第２の突出片５１ａ，５１ｂは、図４および図５によく表われているように、ベルマウス形成部材５ａ，５ｂの他の部分からその外方に向けて部分的に突出した形状であり、背面視において、ファンケース本体部４０の後壁部４０ｃよりも外方にはみ出した状態に設定されている。図２および図３に示す正面視においても、第１および第２の突出片５１ａ，５１ｂは、ファンケース本体部４０の外方にはみ出した状態とされている（第２の突出片５１ｂの一部は、前壁部４０ｂの背後に隠れているが、他の部分ははみ出している）。
【００２７】
第１および第２の突出片５１ａ，５１ｂの少なくとも前面部には、第１および第２のファンＦＡ，ＦＢの種別、出力、あるいは製造ロット番号など、第１および第２のファンＦＡ，ＦＢを識別するための情報Ｉ（図面では、「Ｘ」「Ｙ」の記号として簡略して示している）が、刻印などの適当な手段を用いて表示されている。第１および第２の突出片５１ａ，５１ｂは、ファンケース４の外面部における配置が相違し、かつ前者が上向き突出状であるのに対し、後者は斜め上向き突出状である。したがって、前記した情報Ｉ以外として、第１および第２の突出片５１ａ，５１ｂの位置などの相違によっても、第１および第２のファンＦＡ，ＦＢの区別化が図られている。
【００２８】
図２および図３に示すように、第１および第２のバーナケース１Ａ，１Ｂの下部の前寄り部分には、ブラケット部１０ａ〜１０ｃが設けられており、ビス８２およびビス止め用孔部１２ａ〜１２ｃ，４８ａ〜４８ｃを利用して第１および第２のファンＦＡ，ＦＢの前側上部を取付け可能とされている。ブラケット部１０ａ，１０ｂどうしは、共通化が図られている。一方、図４および図５に示すように、第１および第２のバーナケース１Ａ，１Ｂの下部の後寄り部分には、ブラケット部１１ａ，１１ｂが設けられており、ビス８３およびビス止め用孔部１３ａ，１３ｂ，４９ａ，４９ｂを用いて第１および第２のファンＦＡ，ＦＢの後側上部を取付け可能とされている。ブラケット部１１ａ，１１ｂは、共通化が図られている。
【００２９】
図４によく表われているように、第１のファンＦＡを第１のバーナケース１Ａに取付けた状態において、第１の突出片５１ａは、第１のバーナケース１Ａと干渉しないように、第１のバーナケース１Ａの横に位置している。また、第１の突出片５１ａは、第１のバー
ナケース１Ａの底壁部よりも高い位置まで上向きに延びた状態にある。一方、第２のバーナケース１Ｂは、既述したように、第１のバーナケース１Ａよりも横幅が広くされている。このようなことにより、第１のファンＦＡを第２のバーナケース１Ｂに取付けようとして第２のバーナケース１Ｂの底壁部に接近させた場合には、第１の突出片５１ａが第２のバーナケース１Ｂの底壁部と干渉することとなり、第１のファンＦＡを第２のバーナケース１Ｂに取付けことは阻止されるようになっている。
【００３０】
次に、前記した燃焼装置Ｃの作用について説明する。
【００３１】
まず、第１および第２の突出片５１ａ，５１ｂは、認識し易いように設けられているとともに、その配置は相違している。したがって、第１および第２の突出片５１ａ，５１ｂの位置を確認することにより、第１および第２のファンＦＡ，ＦＢを容易に区別することができる。第１および第２の突出片５１ａ，５１ｂには、所定の情報Ｉが表示されているため、この情報Ｉを確認すれば、第１および第２のファンＦＡ，ＦＢの認識、区別がより明確に行なえることとなる。したがって、第１および第２のファンＦＡ，ＦＢを取り違えることが適切に防止または抑制される。
【００３２】
前記したような第１および第２の突出片５１ａ，５１ｂを設けているにも拘わらず、燃焼装置Ｃの製造工程において、第１および第２のファンＦＡ，ＦＢが取り違えられてしまう可能性はある。ただし、このような取り違えが生じたとしても、既述したように、第１のファンＦＡを第２のバーナケース１Ｂに取付けることは、第１の突出片５１ａが第２のバーナケース１Ｂに干渉することにより阻止される。第２のファンＦＢについては、第１のバーナケース１Ａに取付けることは可能であるものの、ブラケット部１０ｃが余った状態となるため、作業者は、そのような誤った取付けを容易に気付く。いずれにしても、第１のファンＦＡを第２のバーナケース１Ｂに取付けできない状態とすれば、第１および第２のバーナケース１Ａ，１Ｂに対して、第１および第２のファンＦＡ，ＦＢがともに間違った組み合わせ状態で取付けられることはなくなる。このようなことから、第１および第２のファンＦＡ，ＦＢの組み付けミスが適切に解消されることとなり、燃焼装置Ｃの生産性を高めることが可能である。
【００３３】
また、本実施形態によれば、第１および第２のファンＦＡ，ＦＢを第１および第２のバーナケース１Ａ，１Ｂに対して適切に取付けることが可能であるが、ファンケース４にベルマウス形成部材５ａが誤って取付けられることにより、第１のファンＦＡが第２の突出片５１ｂを備え、かつ第２のファンＦＢが第１の突出片５１ａを備えた構成とされた場合にも、第１および第２のファンＦＡ，ＦＢを第１および第２のバーナケース１Ａ，１Ｂに適切に取付けることは困難となる。したがって、このことによりファンケース４に正しい対応関係のベルマウス形成部材５ａ，５ｂが取付けられていないことが判明し、ベルマウス形成部材５ａ，５ｂの組み付けミスの防止、発見も可能となる。
【００３４】
本発明は、上述した実施形態の内容に限定されない。本発明に係る燃焼装置の各部の具体的な構成は、本発明の意図する範囲内において種々に設計変更自在である。
【００３５】
上述の実施形態では、第１のバーナケースおよびファンが、風呂給湯または暖房給湯用とされ、かつ第２のバーナケースおよびファンが、一般給湯用とされているが、本発明はこれに限定されない。上述の実施形態とは反対に、第１のバーナケースおよびファンが、一般給湯用とされ、かつ第２のバーナケースおよびファンが、風呂給湯または暖房給湯用とされていてもよい。また、本発明に係る燃焼装置は、給湯装置用に限定されず、暖房装置用または焼却炉用などの燃焼装置として構成することもできる。
【００３６】
上述の実施形態においては、過誤により、第２のファンＦＢを第１のバーナケース１Ａ
に取付けようとした場合に、第２の突出片５１ｂが第１のバーナケース１Ａには干渉しないようにされているが、これとは異なり、第２の突出片５１ｂが第１のバーナケース１Ａに干渉するように構成することもできる。このような構成によれば、第２のファンＦＢを第１のバーナケース１Ａに取付けようとした段階で、作業者はその誤りに気付くこととなり、作業ミスをより早期に察知することが可能である。
【００３７】
本発明でいう「突出片形成部材」は、ベルマウス形成部材５ａ，５ｂに限定されず、他の部材を用いて構成することもできる。たとえば、モータ蓋板４１を突出片形成部材として用いることも可能である。第１および第２の突出片は、形状、サイズ、および前記ファンケースにおける突出位置の少なくとも１つが互いに相違していればよい。
【符号の説明】
【００３８】
Ｃ  燃焼装置
ＦＡ，ＦＢ  第１および第２のファン
１Ａ，１Ｂ  第１および第２のバーナケース
３  バーナ
４  ファンケース
４０  ファンケース本体部
４０ａ  周壁部
４０ｂ  前壁部
４０ｃ  後壁部
５ａ，５ｂ  ベルマウス形成部材（突出片形成部材）
５０  ベルマウス
５１ａ，５１ｂ  第１および第２の突出片
【図１】
2019007680.tif 000003
【図２】
2019007680.tif 000004
【図３】
2019007680.tif 000005
【図４】
2019007680.tif 000006
【図５】
2019007680.tif 000007
【図６】
2019007680.tif 000008